(57)【要約】      （修正有）【課題】比較的小さな箱物の陳列において、前から２番目の陳列商品が浮き上がらず、１番前の陳列商品の抜き取りに好適な商品前出し具を提供する。【解決手段】商品を載置する所定長さと所定幅を有する基板１と、基板上に載置され商品を前出しする商品押圧体２と、基板の前端から上方に起立状に付設される商品の転落を防止するストッパー板３と、を有し、商品押圧体とストッパー板間に載置された複数の商品を前出しするものであり、基板とストッパー板で形成される後方内角又は後方内角近傍の基板上に、一番前の商品が乗る側面視において前方上り傾斜の上げ底部５が形成されている。【選択図】図１
0003217573.tif 000002
【実用新案登録請求の範囲】
【請求項１】
商品を載置する所定長さと所定幅を有する基板と、
該基板上に載置され商品を前出しする商品押圧体と、
該基板の前端から上方に起立状に付設される商品の転落を防止するストッパー板と、を有し、該商品押圧体と該ストッパー板間に載置された複数の商品を前出しするものであり、
該基板と該ストッパー板で形成される後方内角又は該後方内角近傍の該基板上に、一番前の商品が乗る側面視において前方上り傾斜の上げ底部を形成したことを特徴とする商品前出し具。
【請求項２】
該商品押圧体を前方付勢するバネ部材を備える自動前出しであるか、又は該商品押圧体を手動で前方移動させる引き出し体を備える手動前出しであることを特徴とする請求項１記載の商品前出し具。
【請求項３】
該上げ底部は、該基板の幅方向の全部又は一部に形成されたものであることを特徴とする請求項１又は２記載の商品前出し具。
【請求項４】
該前方上り傾斜は、直線状の傾斜又はアール状の傾斜を含むことを特徴とする請求項１〜３のいずれか１項に記載の商品前出し具。
【請求項５】
該上げ底部は、後方内角に形成されたものであり、該ストッパー板を始点として後方側８ｍｍ〜２０ｍｍに終点があることを特徴とする請求項１〜４のいずれか１項に記載の商品前出し具。
【請求項６】
該ストッパー板は、該基板からの高さは、１０〜２０ｍｍであることを特徴とする請求項１〜５のいずれか１項に記載の商品前出し具。
【考案の詳細な説明】
【技術分野】
【０００１】
本考案は、量販店、コンビニ、スーパーなどで使用される比較的小さな箱物商品の前出しに好適な商品前出し具に関するものである。
【背景技術】
【０００２】
量販店、コンビニ、スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、新しい商品を後方の空間へ補充する作業は、前方にある商品が邪魔をし
て行い難い。また、奥にある商品を手前に移すのも大変な作業となっている。近年、この
ような新しい商品の補充を行い易くしたり、商品を常に前出し状態にする方法として、固
定された商品陳列棚に商品前出し機能を有する商品前出し装置を設置して、陳列商品を手動又は自動的に前に押し出すものが知られている。
【０００４】
例えば、ＷＯ２００６/０２７８７２公報には、商品を陳列する基板と、該基板に載置され、自然状態において常に前方移動状態にある商品押圧板を備える商品前出し体と、を有し、該商品前出し体の底板の裏面又は該基板の上面のいずれか一方又は両方に滑り手段を付設し、更に該基板の前方部に、更に商品転落防止板を付設した商品自動前出し具が開示されている。この商品自動前出し具によれば、基板上に商品が前後方向に多量に並ぶ場合であっても、陳列商品を自動的に確実に前に送り出す作用力があり、作業者の前出し作業の労力を軽減すると共に、顧客にとっては商品が取り出し易いものとなる。
【先行技術文献】
【特許文献】
【０００５】
【特許文献１】ＷＯ２００６/０２７８７２号公報（請求項５）
【考案の開示】
【考案が解決しようとする課題】
【０００６】
しかしながら、ＷＯ２００６/０２７８７２号公報の自動商品前出し装置は、タバコの箱サイズのような比較的小さな箱物を陳列する場合、前から２番目の陳列商品が浮き上がり、整然とした陳列姿勢を崩すという問題があった。このような崩された陳列の場合、一番前の陳列商品は取り難く、最後まで残ってしまう。また、一番前の陳列商品を抜くと、浮き上がった２番目に陳列商品も連れて取り出され、顧客に不便を強いるという問題があった。
【０００７】
従って、本考案の目的は、比較的小さな箱物の陳列において、前から２番目の陳列商品が浮き上がらず、１番前の陳列商品の抜き取りに好適な商品前出し具を提供することにある。
【課題を解決するための手段】
【０００８】
すなわち、本考案は、上記課題を解決したものであって、商品を載置する所定長さと所定幅を有する基板と、該基板上に載置され商品を前出しする商品押圧体と、該基板の前端から上方に起立状に付設される商品の転落を防止するストッパー板と、を有し、該商品押圧体と該ストッパー板間に載置された複数の商品を前出しするものであり、該基板と該ストッパー板で形成される後方内角又は該後方内角近傍の該基板上に、一番前の商品が乗る側面視において前方上り傾斜の上げ底部を形成したことを特徴とする商品前出し具を提供するものである。
【０００９】
また、本考案は、該商品押圧体を前方付勢するバネ部材を備える自動前出しであるか、又は該商品押圧体を手動で前方移動させる引き出し体を備える手動前出しであることを特徴とする前記商品前出し具を提供するものである。
【００１０】
また、本考案は、該上げ底部は、該基板の幅方向の全部又は一部に形成されたものであることを特徴とする前記商品前出し具を提供するものである。
【００１１】
また、本考案は、該前方上り傾斜は、直線状の傾斜又はアール状の傾斜を含むことを特徴とする前記商品前出し具を提供するものである。
【００１２】
また、本考案は、該上げ底部は、後方内角に形成されたものであり、該ストッパー板を始点として後方側８ｍｍ〜２０ｍｍに終点があることを特徴とする前記商品前出し具を提供するものである。
【００１３】
また、本考案は、該ストッパー板は、該基板からの高さは、１０〜２０ｍｍであることを特徴とする前記商品前出し具を提供するものである
【考案の効果】
【００１４】
本考案によれば、比較的小さな箱物の陳列において、前から２番目の陳列商品が浮き上がらず、１番前の陳列商品の抜き取りに好適な商品前出し具を提供できる。
【図面の簡単な説明】
【００１５】
【図１】本考案の実施の形態における商品前出し具の斜視図である。
【図２】図１の商品前出し具の側面図である。
【図３】図１の商品前出し具の平面図である。
【図４】図１の商品前出し具の前方位置における拡大側面図である。
【図５】図１の商品前出し具の浮き上がり防止の作用を説明する拡大側面図である。
【図６】本考案の他の実施の形態における商品前出し具の前方位置における拡大側面図である。
【図７】本考案の他の実施の形態における商品前出し具の前方位置における拡大側面図である。
【図８】従来の商品前出し具の商品の浮き上がり前の側面図である。
【図９】従来の商品前出し具の商品の浮き上がりを示す側面図である。
【考案を実施するための形態】
【００１６】
本考案の商品前出し具としては、自動前出し及び手動前出しが挙げられ、特に自動前出しは、常に陳列商品に前出し力が作用しており、本考案の効果が顕著に表れる点で好ましい。自動前出しとしては、商品押圧体がゴム、板バネ等のバネ体により前方へ引っ張られるもの、あるいは基板面上がローラやレール材のような滑り材となっており、前方下り傾斜とするものなどが挙げられる。陳列する商品としては、箱体が挙げられ、特に、タバコの箱サイズの箱体が好ましい。
【００１７】
本考案の商品前出し具において、商品押圧体としては、基板上に載置され商品の背中と接する起立板を有するものであればよく、例えば、基板の上面と全体又は部分的に接する底板と底板から起立状に又はやや後方傾斜状に延びる起立板とを備えるものが挙げられる。本考案の商品前出し具において、基板の上面には、前後方向に延びる数条のガイドレールが形成され、商品押圧体の底面には、このガイドレールにガイドされる係止片が形成されているものであってもよい。
【００１８】
本考案の商品前出し具において、基板は、商品を載置する所定長さと所定幅を有する。基板の幅寸法は、陳列商品の幅と同程度が好ましい。基板の幅寸法が、陳列商品の幅より小の場合、前出しの際、横並びで隣接する商品前出し具の陳列商品と衝突する可能性がある。また、基板の幅寸法が、陳列商品の幅より大の場合、横方向に陳列の隙間が生じ、陳列効率が低下する。また、基板の長さ寸法は、商品前出し具が置かれる棚板面の奥行寸法と同程度とすることが好ましい。
【００１９】
本考案の商品前出し具において、基板の前端から上方に起立状に付設される商品の転落を防止するストッパー板は、陳列商品の高さより小のものであり、基板からの高さが１０〜３０ｍｍ、特に、１０〜２０ｍｍ、更に１２〜１８ｍｍが好ましい。ストッパー板は、基板からの高さが、高すぎると、商品が隠れると共に、１番前の陳列商品が取り出し難くなる。すなわち、１番前の陳列商品を取り出すには、ストッパー板より高く引き上げる必要があり、また、ストッパー板の上端を支点として、陳列商品を手前に引く場合、陳列商品の下端部で後ろ商品を後方へ押すため、商品押圧体を後方移動させることになり不便であると共に、陳列商品のパッケージを傷つけることになる。
【００２０】
本考案の商品前出し具は、基板とストッパー板で形成される内角（後方側の内角）に、一番前の商品が乗る側面視において前方上り傾斜の上げ底部を有する。上げ底部は、前から２番目の陳列商品の浮き上がりを防止する。上げ底部は、基板の幅方向の全部に亘り形成されたもの、又は幅方向の一部に形成されたものであればよい。基板の幅方向の一部としては、幅方向の両側、幅方向の中央部、幅方向において互いに離れた数箇所などが挙げられる。また、上げ底部の前方上り傾斜としては、直線状の傾斜、アール状の傾斜または直線状又はアール状の傾斜の複合傾斜が挙げられる。本考案の商品前出し具において、上げ底部は、後方内角に形成される場合、一番前の商品が乗ればよく、ストッパー板を始点として後方側８ｍｍ〜２０ｍｍ、好ましくは８ｍｍ〜１５ｍｍに終点があればよい。すなわち、後方内角に形成される上げ底部は、ストッパー板から後方へ２０ｍｍ、好ましくは１５ｍｍから傾斜が始まるものである。
【００２１】
本考案の商品前出し具において、上げ底部は、後方内角近傍の基板上であってもよい。具体的には、ストッパー板を始点として後方側１ｍｍ以上、特に３ｍｍ以上、更に５ｍｍ以上離れて形成されたものであってもよい。すなわち、上げ底部は、一番前の商品が乗れる位置であれば、後方内角に限定されない。後方内角近傍の基板上にある上げ底部のアール状の傾斜は、上方に凸状の傾斜であってもよい。
【００２２】
次に、本考案の実施の形態の商品前出し具について、図１〜図５を参照して説明する。商品前出し具１０は、基板１と、商品押圧体２と、商品の転落を防止するストッパー板３とを有し、基板１とストッパー板３で形成される内角（後方の内角）に、前方上り傾斜の上げ底部５を形成したものである。
【００２３】
商品前出し具１０において、基板１は、商品を載置する所定長さと所定幅を有し、幅方向の中央部には、前後方向に延びる長孔１２が形成されている。長孔１２は、バネ部材７が通る道である。従って、長孔１２の幅は、バネ部材７の幅より少し大であり、長孔１２の前方端はストッパー板３の近傍であり、後方端は基板１の後端の近傍である。基板１の上面１１であって、長孔１２の両側の内側縁には、前後方向に延びる段差断面の一対のレール１３が形成されている。一対のレール１３は、商品押圧体２の前後移動をガイドするものである。
【００２４】
商品前出し具１０において、商品押圧体２は、基板１上に載置され商品を前出しするものである。商品押圧体２は、基板１の上面と接する底板２１と、底板２１の前端からやや後ろ傾斜で上方に延びる起立板２２と、起立板２２の後方で且つ底板２１の上方に、長尺状のバネ部材７を巻き込むバネ収納部２３を有する。商品押圧体２の底板２１の前端は、長孔１２に嵌りガイドされる係止片２４を有している。長尺状のバネ部材７は、後端がバネ収納部２３に固定され、商品押圧体２の下方を潜り、前端が基板１の前方部に固定されている。これにより、商品押圧体２は、常時前出し状態となっている。
【００２５】
商品前出し具１０において、ストッパー板３は、基板１の前端から上方に起立状に付設される商品の転落を防止するものである。ストッパー板３は、基板１の上面からの高さが、概ね１５ｍｍ前後であり、基板１の幅方向に延びている。また、ストッパー板３の前面には、例えば、棚板の前端に付設されるＰＯＳレールに係止する係止突起４が形成されている。
【００２６】
商品前出し具１０は、商品押圧体２とストッパー板３間に載置された複数の商品を自動前出しするものであり、基板１とストッパー板３で形成される後方内角に、一番前の商品が乗る側面視において前方上り傾斜の上げ底部５が形成されている。上げ底部５の前方上り傾斜は、凹状アールの前方上り傾斜である。上げ底部５は、ストッパー板３から後方側後方側８ｍｍ〜２０ｍｍ、好適には、８ｍｍ〜１５ｍｍに終点がある。すなわち、上げ底部は、側面視において、基板の長手方向において、長さが８ｍｍ〜２０ｍｍ、好適には、８ｍｍ〜１５ｍｍのものである。これにより、タバコの箱サイズの箱体の陳列に効果を発揮する。また、上げ底部５は、幅方向の中心の長孔１２の幅部の両側に形成されている。
【００２７】
次に、商品前出し具１０の上げ底部５の浮き上がり防止機能について、図４及び図５を参照して説明する。その前に先ず、従来の問題点である前から２番目の陳列商品が浮き上がる現象を説明する。すなわち、図８に示すように、商品押圧体１０２とストッパー板１０３間に載置された複数の商品１０４を自動前出しする際、複数の陳列商品１０４は、後ろから押圧力Ｚにより前方側へ押される。この場合、ストッパー板１０３が陳列商品１０４の高さより低いこともあり、前方側の陳列商品、特に、１番前の陳列商品１０４ａと前から２番目の陳列商品１０４ｂが前のめりとなる（符号Ｘ）。この時、前から２番目の陳列商品１０４ｂは１番前の陳列商品１０４ａに乗りかかる姿勢となり、１番前の陳列商品１０４ａの底面の後ろ角１０５ａが、２番目の陳列商品１０４ｂの底面より下に潜り込んでしまう。この状態において、後ろからの押圧力Ｚは継続して掛かっており、前から２番目の陳列商品１０４ｂは更に符号Ｙ方向に浮き上がることになる。２番目の陳列商品１０４ｂが符号Ｙ方向に浮き上がり、顧客が１番目の陳列商品を抜き取ると、同時に２つの商品が抜き取られることがあり、ひとつの商品を元に戻すという面倒なことになる。なお、図７は、２番目の陳列商品１０４ｂが浮き上がる前の整然とした陳列状態を示す図である。
【００２８】
これに対して、商品前出し具１０は、図５に示すように、商品押圧体２とストッパー板３間に載置された複数の商品９を自動前出しする際、複数の陳列商品９は、後ろから押圧力Ｚにより前方側へ押される。この場合、ストッパー板３が陳列商品９の高さより低いこともあり、前方側の陳列商品、特に、１番前の陳列商品９ａと前から２番目の陳列商品９ｂが前のめりとなる（符号Ｘ）。しかしながら、１番前の陳列商品９ａは、上げ底部５に乗っており、２番目及びそれより後ろの陳列商品より、少し上方に突出している。従って、前から２番目の陳列商品９ｂは１番前の陳列商品９ａに乗りかかることは不可能となり、前から２番目の陳列商品９ｂが上方に浮き上がることはない。また、図５のような陳列状態であれば、顧客にとっても、１番前の陳列商品９ａは取り出し易い。
【００２９】
次に、本考案の他の実施の形態の商品前出し具について、図６を参照して説明する。図６において、図１〜図５と同一構成要素には同一符号を付して、その説明を省略し、異なる点について主に説明する。すなわち、図６の商品前出し具１０ａにおいて、図１〜図５の商品前出し具１０と異なる点は、上げ底部の形状である。図６の商品前出し具１０ａの上げ底部５ａは、側面視が、直線状の前方上り傾斜のものである。上げ底部５ａは、上げ底部５と同様に、ストッパー板３から後方側へ約８ｍｍの間に形成されている。また、傾斜の角度は、３０度程度である。このような、商品前出し具１０ａにおいても、商品前出し具１０と同様の作用効果を奏する。
【００３０】
次に、本考案の他の実施の形態の商品前出し具について、図７を参照して説明する。図７において、図１〜図５と同一構成要素には同一符号を付して、その説明を省略し、異なる点について主に説明する。すなわち、図７の商品前出し具１０ｂにおいて、図１〜図５の商品前出し具１０と異なる点は、上げ底部の形成位置及び形状である。図７の商品前出し具１０ｂの上げ底部５ｂの形成位置は、ストッパー板３から後方側へＬ１の寸法離れた位置である。Ｌ１の寸法は、本例では、約５ｍｍ程度である。また、上げ底部５ｂは、側面視が、直線状の前方上り傾斜のものである。上げ底部５ｂの傾斜の角度は、１０度程度である。このような、商品前出し具１０ｂにおいても、商品前出し具１０と同様の作用効果を奏する。
【００３１】
本考案の商品前出し具は、前記実施の形態例に限定されず、種々の変形を採ることができる。例えば、商品前出し具は、手動の商品前出し具であってもよい。手動の商品前出し具は、上記実施の形態例の商品前出し具のバネ部材７が省略されたものであり、例えば、商品押圧体を前方へ引き出す引き出し体が設置される。引き出し体は長尺の板状体などであり、商品押圧体の下方で基板の中に前後方向移動自在に付設されたもの、あるいは、基板のサイドに仕切り板を設け、この仕切り板の中に前後方向移動自在に付設されたものなどが挙げられる。手動商品前出し具であっても、自動商品前出し具と同様の作用効果を奏する。手動商品前出し具において商品を前出しする際、上げ底部がないと、２番目の浮き上がり現象は同様に、起こるからである。
【産業上の利用可能性】
【００３２】
本考案によれば、顧客は、１番前の陳列商品が抜き取り易く便利である。また、使用者は、前から２番目の陳列商品が浮き上がらず、整然とした陳列ができる。
【符号の説明】
【００３３】
１    基板
２    商品押圧体
３    ストッパー板
４    係止突起
５、５ａ、５ｂ      上げ底部
７    バネ部材
１０、１０ａ、１０ｂ  商品前出し具
１２  長孔
１３  レール
【図１】
0003217573.tif 000003
【図２】
0003217573.tif 000004
【図３】
0003217573.tif 000005
【図４】
0003217573.tif 000006
【図５】
0003217573.tif 000007
【図６】
0003217573.tif 000008
【図７】
0003217573.tif 000009
【図８】
0003217573.tif 000010
【図９】
0003217573.tif 000011